(57)【要約】【課題】 ペットの室内飼いが増加している傾向があり、ペットが換毛期になると大量の抜け毛が発生し抜けた毛を撒き散らすために処理に滅入ってしまう家庭がある。抜け毛を快適に効率良く取り除く道具の要望があるが、多くの要素がありその一要素である抜け毛の除去効率のみを追及しても他の要素に対しては副作用があって多数の用具を使い分けている状況である。【解決手段】本発明のペット用櫛は、鉤状に曲がった撓みの大きい多数の櫛歯と指穴と手掛りのあるハンドルからなる。上記櫛歯は櫛歯付け根から櫛歯先端方向に滑らかに細くするとともに概中間部で背側に折り曲げさらに先で弧を描いて腹側に曲げ弧の終端に直線部を設けその先端を膨らませること無くまるめる。【選択図】  図１
2011036177.tif 000002
【特許請求の範囲】
【請求項１】
ハンドルに多数の鉤状の櫛歯を密に並設するペット用櫛において、前記櫛歯形状は概中間部で弧を描いて腹側に曲げ抜け毛溜りとし、少なくとも櫛歯の弧を描く部分は先端方向に滑らかに細くした撓みの大きい櫛歯でなるペット用櫛。
【請求項２】
櫛歯の断面は少なくとも櫛歯の弧を描く部分で櫛歯の腹側を丸く櫛歯の背側を角としたＤ形の断面形状としたことを特徴とする請求項１に記載のペット用櫛。
【請求項３】
櫛歯の並設形状を櫛歯の高低の並びは櫛歯列の中央部をハンドルから高く設置し櫛歯列の両辺部を櫛歯列中央よりも低く円弧状にし、櫛歯の前後の並びは櫛歯列の中央部をハンドルの腹側に設置し櫛歯列の両辺部を櫛歯列中央よりも背側に円弧状に設置したことを特徴とする請求項１又は請求項２記載のペット用櫛。
【請求項４】
ハンドルに多数の鉤状の櫛歯を密に並設するペット用櫛において、ハンドルは概円盤状の中心部に指を入れることができる指穴を設け、一端は櫛歯を固設する櫛歯固設部で、他端には手掛りを設け、前記指穴は指が３本前後入る横長の大きさで横長の中間位置に滑り止めを設け、前記手掛りは指穴を挟んで櫛歯固設部と概反対の位置に突起を１乃至複数個設置したペット用櫛。
【請求項５】
ハンドルに多数の鉤状の櫛歯を密に並設するペット用櫛において、前記櫛歯形状は概中間部で背側に折り曲げさらに先で弧を描いて腹側に曲げ弧の終端に直線部を設けその先端を膨らませること無くまるめて末端とし、櫛歯の弧を描く角度は使用時にペットの被毛に潜り込み易い櫛歯先端の角度になることとペットから取り除いた抜け毛を集めるための抜け毛溜りとなる窪みを持たせ、上記櫛歯の断面は櫛歯の腹側を丸く櫛歯の背側を角としたＤ形の断面形状のもので櫛歯付け根付近では櫛歯の腹側円形部分から櫛歯の背側角形部分間の寸法は櫛歯並設方向よりも厚くし櫛歯先端方向に滑らかに櫛歯の腹側と櫛歯の背側の厚みを細くし櫛歯の腹側と櫛歯の背側の厚みと櫛歯並設方向の厚みが同一に細くなった部分よりも櫛歯先端方向には相似形状に細くし弧の終端直線部付近で丸くして先端を丸め、前記ハンドルは概円盤状の中心部に指を入れることができる指穴を設け、一端は櫛歯を固設する櫛歯固設部で他端には手掛りを設け、前記指穴は指が３本前後入る横長の大きさで横長の中間位置に滑り止めを設け、前記手掛りは突起を１乃至複数個設置したことを特長とするペット用櫛。
【発明の詳細な説明】
【技術分野】
【０００１】
本発明は、ペットの被毛から抜け毛を取り除くためや絡んだ毛を梳きほぐしたりすることに使用するもので、ペットは主として獣毛のある犬や猫で冬毛や夏毛の生え変わる換毛期に発生する大量の抜け毛や一年中生え変わる毛をペットから取り除くことと、長い毛を持つペットは毛が絡み易く放置するとマット状になるのを防ぐために梳いて毛並みを整えるために使用する。
【背景技術】
【０００２】
従来の被毛を整える用具には、ゴムクッションの上に多数のピンを植えこんだピンブラシや、支持体に細いピンを斜めに植えこんだスリッカーブラシ、あるいは真っ直ぐな櫛歯の櫛がある。
【先行技術文献】
【特許文献】
【０００３】
【特許文献１】米国特許第３４９１７２５号
【特許文献２】米国特許第２５２９０１２号
【特許文献３】特願平７−３４９９６２号
【特許文献４】実願平５−７６７７５号
【発明の概要】
【発明が解決しようとする課題】
【０００４】
ペットの室内飼いが増加している傾向があり、ペットが換毛期になると大量の抜け毛が発生し抜けた毛を撒き散らすために処理に滅入ってしまう家庭がある。
抜け毛を快適に効率良く取り除く道具の要望があるが、多くの要素がありその一要素である抜け毛の除去効率のみを追及しても他の要素に対しては副作用があって多数の用具を使い分けている状況である。
ペットの被毛の手入れに長い時間と力が必要なペット美容師が主に使う用具では、疲れてくると力の配分が崩れて無理な力が入りペットが逃げ出すようになる。
被毛の引っ掛かりを良くする目的で刃や角を設けた櫛歯では残すべき毛を切り毛の表面のキューティクルに傷を付け美観を損ねるといった副作用があり、これは用具の使い分けで解決する問題ではなく、このような用具はその難点が問題にならない種類のペットにしか適用できない。
ペットから取り除いた抜け毛が周囲に散乱してしまう用具では散乱した抜け毛の後始末に困るために室内での使用がためらわれる。
被毛の手入れでペットが嫌がることが手入れを難しくするもう一つの問題である。
用具が固く皮膚に痛みを与え固い絡みを無理にほぐそうとすることがペットが嫌がる原因となり、用具のペットに接触する部分である櫛歯が撓みやすく柔らかい感触があるとペットに好まれ手入れ作業が容易になる。
櫛歯を鉤状にして弾力性を持たせた櫛では従来櫛歯の間隔を密にすることができないために毛の短い種類のペットでは抜け毛の漉き取り効率が十分高く無い。
また、ペットの体全体を手入れする用具のハンドルは手の不自由な人が使う事を十分に意識しているものになっていない。
このような課題を解決したペットと飼い主に快適なペット用櫛が一般家庭に求められている。
【０００５】
これを解決するためには、櫛歯間隔を密にして抜け毛の梳き取り効果を高める事と、ペットの被毛に当たる櫛歯の部分は刃状或いは角状ではなく丸くして毛を傷める事が無い事と、櫛歯に大きく撓む弾力を持たせて皮膚に傷や痛みを与えない事と、手に持ちやすく力の入れ易いハンドルにする事である程度手が不自由であっても使える事とを満足することを課題とした。
【課題を解決するための手段】
【０００６】
本発明では、上記課題を解決するために、次の技術的手段を講じた。
即ち、本発明のペット用櫛は、櫛歯の概中間部で弧を描いて腹側に曲げ抜け毛溜りとし先端方向に滑らかに細くした櫛歯と、指穴と手掛りのあるハンドルで構成する。
さらに上記櫛歯の形状は櫛歯付け根から櫛歯先端方向に滑らかに細くするとともに概中間部で背側に折り曲げさらに先で櫛歯弧始端から弧を描いて腹側に曲げ櫛歯弧終端に直線部を設けその先端を膨らませること無くまるめる。
櫛歯の弧を描く角度は使用時にペットの被毛に潜り込み易い櫛歯先端の角度になることとペットから取り除いた抜け毛が散乱しないように集めるための抜け毛溜りとなる適切な窪みを持たせる必要がある。
櫛歯の少なくとも櫛歯弧始端から櫛歯弧終端の弧を描く部分は断面が丸形で先端方向に滑らかに細くする事が望ましい。
【０００７】
さらに、上記櫛歯の断面は櫛歯の腹側を丸く櫛歯の背側を角としたＤ形の断面形状のものとする。
櫛歯付け根付近では櫛歯の腹側円形部分から櫛歯の背側角形部分間の寸法は櫛歯並設方向よりも厚くし櫛歯先端方向に滑らかに櫛歯の腹側と櫛歯の背側の厚みのみを薄くし櫛歯の腹側と櫛歯の背側の厚みと櫛歯並設方向の厚みが同一に細くなった部分よりも櫛歯先端方向には相似形状に細くし櫛歯弧終端から櫛歯先端直線部付近で丸くして櫛歯先端の丸めとする。
櫛歯を先端に向かって細くする事は撓みやすさを先端に向かって大きくすることで、櫛歯付け根付近は同一太さで撓みの少ない構成であっても櫛歯が絡みやすい鉤状に弧を描く部分では先端に向かって撓み易くなるように細くする。
従来の棒状で曲がっていて弾力性のある櫛歯の場合、ペットの毛を梳いた時に隣接する櫛歯を越えるように撓むと梳く力を緩めた時に櫛歯の曲がった先端が隣接する櫛歯と絡み合いほぐれる事が無く再度撓ませてからでないとほぐれない。
本発明の、曲がっていて弾力性のある櫛歯を櫛歯の付け根から櫛歯先端方向に向かって滑らかに断面を細くすると、櫛歯付け根側よりも櫛歯先端方向側が撓み易くなるので、ペットの毛を梳いた時に隣接する櫛歯を越えるように撓んでも梳く力を緩めると櫛歯の付け根側から撓みが戻り隣接する櫛歯との絡みもほぐれる。
【０００８】
櫛歯をハンドルに固設するために櫛歯に埋め込み部を設ける。
固設方法によって適宜形状を選択すれば良く、接続境界に応力集中を起こさないようかつ分離しないように固設する。
【０００９】
ハンドルは概円盤状の中心部に指を入れることができる指穴を設け、一端は櫛歯を固設する櫛歯固設部で、他端にはハンドルを握り易くする手掛りを設ける。
前記指穴は指が３本前後入る横長の大きさで指を一本だけ入れた時でも穴の中で指が滑らずに使えるように横長の中間位置に滑り止めの段差を付ける。
前記手掛りは櫛歯固設部と指穴を挟んで概反対の位置に突起を１乃至複数個設置し握る時の手掛りとするもので、本発明のペット用櫛の握り方を変える時に確実に握るための補助にするものでどの方向に向けても使えるように握ることができ指が不自由であっても使えるためのものである。
また手掛りはペット用櫛を立てて置くための足としても利用する。
【００１０】
前記櫛歯固設部は櫛歯を整然と固設する部分であり、櫛歯は一直線に並設する以外にペットの広い部分や狭い部分の手入れをする場合に扱いやすい曲線を描いた並びで固設される。
扱いやすい曲線とは、櫛歯の高低の並びは櫛歯列の中央部をハンドルから高く設置し櫛歯列の両辺部を櫛歯列中央よりも低く円弧状に設置すると共に櫛歯の前後の並びは櫛歯列の中央部をハンドルの腹側に設置し櫛歯列の両辺部を櫛歯列中央よりも背側に円弧状に設置する。
上記曲線の櫛歯列はペットの顔や手足の付け根やお尻など細かく手入れしたい部分を梳く時に余分な櫛歯がペットから離れる方向になり他の梳かない部分に絡まないので操作が容易になる。
【００１１】
櫛歯固設部の櫛歯列の両外側にハンドルから突出した櫛歯保護突起を設ける。
前記櫛歯保護突起は外側の櫛歯が使用中に外側へ開きすぎて櫛歯付け根が変形する事を防止するものであり外側の櫛歯を頑丈なものに置き換える場合はこの限りではない。
【発明の効果】
【００１２】
本発明のペット用櫛は櫛歯が相互に絡み合うことが少ないために鉤状の櫛歯を真っ直ぐに伸ばしても元に戻る大きな撓みを持たせ密に並設することができるので抜け毛の漉き取り効率が高い。
持ち易いハンドルはブラッシング作業を容易に行なう事ができる。
櫛歯が撓みやすく柔らかい感触がありペットに好まれブラッシング作業が容易になる。
【図面の簡単な説明】
【００１３】
【図１】本発明の実施形態を示すペット用櫛の背側を見る斜視図
【図２】同ペット用櫛の腹側を見る斜視図
【図３】同ペット用櫛の正面図
【図４】同ペット用櫛の側面図
【図５】同ペット用櫛の平面図
【図６】同ペット用櫛の図３におけるＡ―Ａ線断面図
【図７】同ペット用櫛の図３におけるＢ―Ｂ線断面図
【図８】同ペット用櫛の櫛歯拡大正面図
【図９】同ペット用櫛の櫛歯拡大側面図
【図１０】同ペット用櫛の図９におけるＣ―Ｃ線断面図
【図１１】同ペット用櫛の図９におけるＤ―Ｄ線断面図
【発明を実施するための形態】
【００１４】
以下、本発明の実施の形態を図に基づいて説明する。
図１で本発明のペット用櫛１は、ハンドル３の一端の櫛歯固設部６に多数の櫛歯２を設け多数の櫛歯２の両端には櫛歯保護突起７を設け、ハンドル３に指穴４と手掛り５を２個とを設け指穴４には滑り止め８を設けた。
図２はペットの被毛側と接触する面でありハンドル３は滑らかな形状でペットに無用な刺激が無く、櫛歯２の先端が見える。
図４で櫛歯２の先端はハンドル３の腹側１０を向いて設置され櫛歯２には抜け毛溜り２２が見える。
抜け毛を抜け毛溜りに溜めると櫛歯の背側から櫛歯の先端に向かって擦ると抜け毛の固まりを簡単に取り捨てる事ができる。
ハンドル３の手掛り５は底面が平らで櫛歯２を上にして立てて置くための足となる。
【００１５】
上記櫛歯２は図９の櫛歯付け根１２から櫛歯先端１６方向に滑らかに細くするとともに概中間部で背側９に櫛歯中心線２１に対して櫛歯中間部折り曲げ角１７で折り曲げその角度は概３０度でさらに先の櫛歯弧始端１３から櫛歯中心線２１上に焦点を持つ円弧に接して弧を描き腹側１０に曲げ櫛歯弧終端１４に櫛歯先端直線部１５を設けその末端の櫛歯先端１６を膨らませること無くまるめる。
櫛歯２の先細りは櫛歯の長さに対する直径の差の割合で少なくとも櫛歯弧始端１３から櫛歯弧終端１４の弧を描く部分で２０％乃至４０％が望ましく、櫛歯付け根付近の直線部分においてはこの限りでは無い。
上記先細り４０％とは長さ１０ｍｍで直径が４０％細くなる割合を言う。
櫛歯の弧を描く角度は使用時に櫛歯先端１６がペットの被毛に潜り込み易い角度になることとペットから取り除いた抜け毛が周囲に散乱しないようにするための抜け毛溜り２２となる適切な角度を持たせるため櫛歯中心線２１と弧の焦点から櫛歯弧終端１４のなす櫛歯弧の終端角１８は３５度乃至５０度望ましくは４０度である。
櫛歯弧終端１４から櫛歯先端直線部１５を設ける目的は櫛歯先端１６がペットの被毛に潜り込み易くする導入部で概長さ２ｍｍの直線が望ましい。
櫛歯付け根１２から櫛歯先端１６間は１６ｍｍ乃至３５ｍｍが望ましく、櫛歯弧の直径は８ｍｍ乃至１６ｍｍが望ましい。
櫛歯の腹側２０はペットの毛と接触する部分であり、櫛歯の背側１９は櫛を通った毛が離れ去る部分で、断面形状は毛に傷を付け難い丸形が基本である。
櫛歯埋め込み部１１はハンドル３の櫛歯固設部６に確実に固設される形状とする。
【００１６】
図８で示す櫛歯２は櫛歯付け根１２から櫛歯の概中間位置まで同一太さであり、先端に近付いて細くなる。
櫛歯付け根付近の太さが同一なのは隣接する櫛歯との隙間を一定に保つためであり、隙間は櫛歯の材質による強度や対象ペット種の限定によって変えるが、櫛歯の幅と隙間の比率は櫛歯の幅に対して隙間を０．５乃至２が望ましい。
櫛歯間の隙間を一定の比率に保つことを考慮するのはラフ・コリーやサモエドなどの被毛の量が多い種類は櫛歯間の隙間比率が少ないと櫛歯が潜り込むことができなくなるためであり、短毛種や毛の少ない種類には隙間の比率が少なくても効果がある。
【００１７】
また、上記櫛歯２の図１０Ｃ―Ｃ線断面図で示す櫛歯の腹側２０を円形とし櫛歯の背側１９を角形としたＤ形の断面形状のもので櫛歯付け根１２付近では櫛歯の腹側円形部分から櫛歯の背側角形部分間の厚さの寸法は櫛歯並設方向の寸法よりも厚くする。
図１１Ｄ―Ｄ線断面図で示す櫛歯断面は櫛歯先端方向に滑らかに櫛歯の腹側から櫛歯の背側間の厚みを薄くしていき、櫛歯の腹側から櫛歯の背側間の厚みと櫛歯並設方向の厚みが同一寸法に薄くなってからの図でありそれよりも櫛歯先端方向には相似形状に細くしている事を示すもので、櫛歯先端直線部１５付近で丸くして櫛歯先端に繋ぐ。
なお、櫛歯の背側１９の角形は櫛歯の材質をＰＡやＰＢＴ、ＰＯＭの曲げ強度を考慮したものでありこれよりも曲げ強度の強いものであれば円形で良い。
Ｄ形断面形状は見かけ上の寸法を変えずに櫛歯の撓み具合を改善するもので、円形よりＤ形の有利な理由は円形の断面の背側にＤ形になるように肉付けしたもので毛を梳く方向の厚みと並設方向の厚みは円形と同一とするため円形に比べて断面積を増して曲げ強度を大きくできるものであると共に、Ｄ形断面形状によって櫛歯並設方向の曲げ強さが大きく毛を梳く方向の曲げ強さは比較的に弱くなるため櫛歯の絡みも減少する事である。
櫛歯の断面形状で櫛歯の腹側２０の断面を丸くすることは被毛の美しさを大切にするマルチーズやペキニーズなどの長い毛の切断やキューティクルに傷を付ける事が少ない。
【００１８】
櫛歯の腹側２０から櫛歯の背側１９間の厚みと櫛歯並設方向の厚みを同一にする位置は概櫛歯弧始端１３の位置である。
櫛歯を櫛歯付け根１２から櫛歯先端１６に向かって滑らかに細くすることにより撓み易さが櫛歯付け根付近よりも櫛歯先端に向かって大きくなるために梳いた時に隣接する櫛歯と一時的に交叉して絡み合う状態になっても梳く力が抜けると櫛歯付け根付近から交叉状態がほぐれていくので絡み合ったまま残る事が少なくなる。
隣接する櫛歯が絡み難いと櫛歯間隔を密にして良好な漉き取りが可能になり、撓み量の大きな櫛歯であっても抜け毛の漉き取り効果の高いものにできる。
従来、撓み量の大きい櫛では難しかった日本猫やアメリカン・ショート・ヘアーなどのような細く短い毛の手入れが十分行なえる櫛が提供可能になった。
被毛の手入れでペットに嫌がられることが手入れを難しくする大きな問題であり、原因は用具が固くて痛みを与える事と毛玉を無理にほぐそうと強く引くことがペットに手入れを嫌がられる原因であり用具特に櫛歯が撓みやすく柔らかい感触があるとペットに好まれ手入れ作業が容易になる。
【００１９】
図３で示す櫛歯２の並び方は中央部の櫛歯２はハンドル３から高い位置にあり、両辺部の櫛歯２は低い位置に弧を描く櫛歯固設部６に沿って設置されている。
図６Ａ―Ａ線断面図では中央部の櫛歯部分であり櫛歯２の設置場所はハンドル３の腹側１０に近くに設置されている事が分かり、図７Ｂ―Ｂ線断面図では辺部の櫛歯部分であり櫛歯２の設置場所はハンドル３の背側９に近く設置されている事が分かる。
そして、図５で櫛歯２の並びは中央部ではハンドル３の腹側１０に近く櫛歯２の両端側ではハンドル３の背側９に近く弧を描いて設置されている事を示す。
従来の櫛の櫛歯は一直線に設置されているので面積の広い部分と細かく入り組んだ部分との使い分けに技術を要するが、本発明のペット用櫛の櫛歯列は立体的に弧を描く並びとなっているために狭い部分の手入れをする時に片方の端を使用すると他端はペットから離れて位置するので邪魔にならずに手入れができる。
【００２０】
ペットの皮膚に痛みを与えないためや固い絡み毛を引っ掛けた時に無理な力が掛らずに外れるように、櫛歯の弾力と撓みは櫛歯の弧をほぼまっすぐに伸ばす程度に大きく撓めても復元する弾力を持たせる事と、弾力はフックの法則に従い撓み量が力に比例するよりも形状記憶合金の超弾性やプラスチックのクリープ変形によるものの方が一定の力で大きく撓むために痛みを感じさせないで外れる、櫛歯の形状と材質との兼ね合いも考慮して先ずプラスチックの中から選択した。
超弾性やクリープ変形であれば、固い毛玉を引っ掛けた時に特別意識しなくても一定の力で櫛歯が大きく撓み毛玉が離れるために痛みを与えることが無い。
【００２１】
図３によるハンドル３は概円盤状の中心部に指を入れることができる指穴４を設け、一端は多数の櫛歯を固設する櫛歯固設部６で、他端にはハンドル３を握り易くする手掛り５を設ける。
前記指穴４は指が３本前後入る横長の大きさで指を一本だけ入れて使った時に穴の中で指の位置を安定できるように滑り止め８の段差を設ける。
櫛歯列の両外側にハンドル３から突出した櫛歯保護突起７を設ける。
櫛歯保護突起７は外側の櫛歯２が使用中に大きく外側へ開き変形する事を防止するものであり外側の櫛歯を頑丈な櫛歯に置き換える場合はこの限りではない。
【００２２】
前記手掛り５は櫛歯固設部６と指穴４を挟んで反対の位置に設置し握る時の手掛りとするものでペットも人も態勢を変えなくても様々な方向に梳くために持ち方を変えてもしっかりと握ることができ、突出量は少なくとも小指の太さ程度突出し滑らず指が不自由であっても握るための補助にする。
図４における手掛り５は本発明のペット用櫛１をテーブルに立てて置けるような底面をなし足の機能を持つ事を示している。
抜け毛溜りに抜け毛を溜めた状態ではテーブルに置く時に伏せて置くと不潔に感じるが立てて置くことで汚れる事が無く清潔に扱う事ができる。
【００２３】
多く使われている棒状のハンドルでは親指と他の指で確実に握らないと操作ができないため、指の機能が正常でなければならない。
ハンドル部に指穴を設けただけのものでは確実に握らないと安定せず手の不自由な人には使うことが難しいが手掛り５を設けることによって親指が使えなくても用具をいろいろな方向に使えるようにする事ができるし、噛み癖のあるペットに対して皮手袋を付けての手入れが容易にできる。
【符号の説明】
【００２４】
１  ペット用櫛
２  櫛歯
３  ハンドル
４  指穴
５  手掛り
６  櫛歯固設部
７  櫛歯保護突起
８  滑り止め
９  背側
１０  腹側
１１  櫛歯埋め込み部
１２  櫛歯付け根
１３  櫛歯弧始端
１４  櫛歯弧終端
１５  櫛歯先端直線部
１６  櫛歯先端
１７  櫛歯中間部折り曲げ角
１８  櫛歯弧の終端角
１９  櫛歯の背側
２０  櫛歯の腹側
２１  櫛歯中心線
２２  抜け毛溜り
【図１】
2011036177.tif 000003
【図２】
2011036177.tif 000004
【図３】
2011036177.tif 000005
【図４】
2011036177.tif 000006
【図５】
2011036177.tif 000007
【図６】
2011036177.tif 000008
【図７】
2011036177.tif 000009
【図８】
2011036177.tif 000010
【図９】
2011036177.tif 000011
【図１０】
2011036177.tif 000012
【図１１】
2011036177.tif 000013